(57)【要約】【課題】文章読み上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができる音声読上装置を提供する。【解決手段】制御部１０５は、テキストデータＴＤの文字数をカウントし、予め設定された文字数で段落を区切り、各段落の先頭位置をインデックスとして記憶部１０６に記憶するとともに、各インデックスに規則性を持った音データ（ドレミ音等の順序を想起させるような音データ）ＭＤを割り当てて記憶部１０６に記憶し、ユーザによる入力操作によりテキストデータＴＤの各段落の任意のインデックスが指定されたときに、該当するインデックスに対応した音データＭＤを再生するようにした。【選択図】図２
2011242727.tif 000002
【特許請求の範囲】
【請求項１】
文章の区切りを示すインデックスが挿入されたテキストデータを読み上げる音声読上装置であって、
入力操作を検出する入力操作部と、
早送り時に、前記入力操作部の検出した入力操作に基づいて、前記単数又は複数のインデックスに割り当てられた音を再生する音再生部と、
を備える音声読上装置。
【請求項２】
テキストデータの読み上げ時に、前記入力操作部の検出した入力操作に基づいて、テキストデータを読み上げる文字読上部を備え、
前記音再生部は、テキストデータの読み上げ時に、前記文字読上部のテキストデータの読み上げに重畳させて、前記単数又は複数のインデックスのうち、前記文字読上部の読み上げるテキストデータの読み上げ位置に応じたインデックスに割り当てられた音を再生する請求項１に記載の音声読上装置。
【請求項３】
前記音再生部は、早送り時に、前記入力操作部の入力操作の検出のたびに前記単数又は複数のインデックスのうち次のインデックスに割り当てられた音を再生する請求項１又は請求項２に記載の音声読上装置。
【請求項４】
前記文字読上部は、前記入力操作部の入力操作の検出のたびにテキストデータの読み上げを開始する請求項２に記載の音声読上装置。
【請求項５】
テキストデータに複数のインデックスを挿入する制御部を備え、
前記制御部は、前記入力操作部の検出した入力操作に基づいて、分割数を決定し、テキストデータの文字数又は音節数を前記分割数で分割した区切り位置にインデックスを挿入する請求項１乃至請求項４のいずれか１項に記載の音声読上装置。
【請求項６】
前記インデックスに割り当てられた音は、ドレミ音である請求項１乃至請求項５のいずれか１項に記載の音声読上装置。
【発明の詳細な説明】
【技術分野】
【０００１】
本発明は、テキストデータの音声読み上げを行う音声読上装置に関する。
【背景技術】
【０００２】
電子メール等のテキストデータを読み上げる音声読上装置が案出されている。例えば、特許文献１には、電話機内に保存してある電子メールやショートメールの文字情報の読み上げ指令に従い、保存してある文字情報を音声コードデータに変換し、変換した音声コードデータを音声として発声する携帯電話機が開示されている。また、特許文献２には、音声読み上げ用のプログラムをダウンロードし、このプログラムを用いてテキスト文を読み上げる携帯端末が開示されている。
【先行技術文献】
【特許文献】
【０００３】
【特許文献１】特開２００１−３５０６９２号公報
【特許文献２】特開２００３−０５１８６７号公報
【発明の概要】
【発明が解決しようとする課題】
【０００４】
しかしながら、上述した従来の音声読み上げ装置は、単にテキストデータをその文頭から読み上げるのみであるため、以下に示す課題がある。
（１）テキストデータの読み上げ時に、知りたい情報に直ぐにアクセスすることができない。
（２）同じ情報を繰り返し聞きたい場合には始めから聞き返す必要があり、煩わしい。
（３）今読み上げている箇所が全体のどのあたりであるか把握し難い（あとどれくらいで文章が終わりそうか想像し難い）。
【０００５】
本発明は、係る事情に鑑みてなされたものであり、テキストデータの読み上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができる音声読上装置を提供することを目的とする。
【課題を解決するための手段】
【０００６】
本発明の音声読上装置は、文章の区切りを示すインデックスが挿入されたテキストデータを読み上げる音声読上装置であって、入力操作を検出する入力操作部と、早送り時に、前記入力操作部の検出した入力操作に基づいて、前記単数又は複数のインデックスに割り当てられた音を再生する音再生部と、を備える。
【０００７】
上記構成によれば、テキストデータの早送り再生時に、文章の区切りごとに挿入されたインデックスに割り当てられた音を再生するので、ユーザはインデックスに割り当てられた音を聞くことにより、知りたい情報に直ぐにアクセスすることができるようになる。また、同じ情報を繰り返し聞きたい場合には始めから聞き返す必要がなくなり、煩わしさが解消される。
【０００８】
上記構成において、テキストデータの読み上げ時に、前記入力操作部の検出した入力操作に基づいて、テキストデータを読み上げる文字読上部を備え、前記音再生部は、テキストデータの読み上げ時に、前記文字読上部のテキストデータの読み上げに重畳させて、前記単数又は複数のインデックスのうち、前記文字読上部の読み上げるテキストデータの読み上げ位置に応じたインデックスに割り当てられた音を再生する。
【０００９】
上記構成によれば、テキストデータの読み上げとともに、インデックスに割り当てられた音が再生されるので、今読み上げている箇所が全体のどのあたりであるのかを容易に把握できるようになる。
【００１０】
上記構成において、前記音再生部は、早送り時に、前記入力操作部の入力操作の検出のたびに前記単数又は複数のインデックスのうち次のインデックスに割り当てられた音を再生する。
【００１１】
上記構成によれば、入力操作の検出のたびに次のインデックスに割り当てられた音を再生するので、飛び越し再生が可能となる。
【００１２】
上記構成において、前記文字読上部は、前記入力操作部の入力操作の検出のたびにテキストデータの読み上げを開始する。
【００１３】
上記構成によれば、入力操作の検出のたびに通常の読み上げ再生が可能となる。
【００１４】
上記構成において、テキストデータに複数のインデックスを挿入する制御部を備え、前記制御部は、前記入力操作部の検出した入力操作に基づいて、分割数を決定し、テキストデータの文字数又は音節数を前記分割数で分割した区切り位置にインデックスを挿入する。
【００１５】
上記構成によれば、テキストデータの任意の位置にインデックスを挿入することができ、インデックスに割り当てられた音を聞くことにより、知りたい情報に直ぐにアクセスすることができるようになる。また、同じ情報を繰り返し聞きたい場合には始めから聞き返す必要がなくなり、煩わしさが解消される。
【００１６】
上記構成において、前記インデックスに割り当てられた音は、ドレミ音である。
【００１７】
上記構成によれば、区切られた文章を容易に判別することができる。
【発明の効果】
【００１８】
本発明によれば、テキストデータの読み上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができる。
【図面の簡単な説明】
【００１９】
【図１】本発明の音声読上装置の概要を説明するための図
【図２】本発明の実施の形態１に係る音声読上装置の概略構成を示すブロック図
【図３】図１の音声読上装置におけるテキストデータの分割処理及びインデックスに対する音データの割り当て処理を示すフローチャート
【図４】図１の音声読上装置において、段落数を「４」とした場合のテキストの分割状態の一例を示す図
【図５】図１の音声読上装置において、段落数を「４」とした場合の位置情報ｐ（ｎ）の記憶状態を示す図
【図６】図１の音声読上装置において、段落数を「４」とした場合の各段落に対応する音データｑ（ｎ）の記憶状態を示す図
【図７】図１の音声読上装置において、入力操作によるインデックス選択と音声再生処理を示すフローチャート
【図８】本発明の実施の形態２に係る音声読上装置におけるテキストデータの分割処理及びインデックスに対する音データの割り当て処理を示すフローチャート
【発明を実施するための形態】
【００２０】
以下、本発明を実施するための好適な実施の形態について、図面を参照して詳細に説明する。
【００２１】
実施の形態の説明に先立ち本発明の概要を説明する。図１は、本発明の概要を説明するための図である。同図に示すように、本発明は、電子メールなどのテキストデータを音声読み上げする際に、規則性を持った音（例えば、“ド、レ、ミ、ファ、ソ、ラ、シ、ド”）を、各段落の文頭に割り当てる。同図では文章を３行ごとに区切って音符を割り当てている。すなわち、第１段落には“ド”、第２段落には“レ”、第３段落には“ミ”、第４段落には“ファ”、第５段落には“ソ”、第６段落には“ラ”、第７段落には“シ”を割り当てている。文章を所定の塊ごとに区切り、それぞれに音符を割り当てて、各音符の音を発声させることで、今、文章のどの部分を読み上げているのかを容易に知ることができる。
【００２２】
（実施の形態１）
図２は、本発明の実施の形態１に係る音声読上装置の概略構成を示すブロック図である。同図において、本実施の形態に係る音声読上装置１００は、入力操作部１０１と、音声出力部１０２と、文字読上部１０３と、音再生部１０４と、制御部１０５と、記憶部１０６とを備える。制御部１０５は、“ド、レ、ミ、ファ、ソ、ラ、シ、ド”のインデックスに割り当てる音データＭＤの入力を行い、また音声読み上げを行うテキストデータＴＤの入力を行って、テキストデータの分割処理、テキストデータに挿入したインデックスに対する音データの割り当て処理を行い、また入力操作によるインデックス選択処理を行う。本実施の形態では、テキストデータの分割処理においては、文字数で段落を区切るようにしている。なお、前記音データＭＤ及びテキストデータＴＤの各々は図示しない記憶部に記憶される。制御部１０５は、ＡＳＩＣ（Application Specific Integrated Circuit）で組んでも良いし、汎用のマイクロコンピュータで組んでも良い。
【００２３】
入力操作部１０１は、キーやタッチパネル等の入力操作を可能とする入力装置で構成され、テキストデータに対する段落数の設定及び決定、音声読上時の段落番号の入力、音声読上時すなわち再生時の操作（早送り操作を含む）等の操作に使用される。音声出力部１０２は、音声出力用のスピーカであり、文字読上部１０３や音再生部１０４からの電気信号を物理振動に変えて、音楽や音声などの音を生み出す。文字読上部１０３は、テキストデータＴＤの読み上げ時に、入力操作部１０１の検出した入力操作に基づいて、テキストデータＴＤの読み上げを実施し、電気信号として出力する。特に、文字読上部１０３は、入力操作部１０１の入力操作のたびにテキストデータＴＤの読み上げを開始する。音再生部１０４は、テキストデータＴＤの読み上げ時に、文字読上部１０３のテキストデータの読み上げに重畳させて、文字読上部１０３の読み上げるテキストデータＴＤの読み上げ位置に応じたインデックスに割り当てられた音を再生し、電気信号として出力する。特に、音再生部１０４は、早送り時に、入力操作部１０１の入力操作の検出のたびに複数のインデックスのうち次のインデックスに割り当てられた音データＭＤを再生する。記憶部１０６は、テキストデータＴＤに挿入されたインデックス等を記憶する。
【００２４】
次に、本実施の形態に係る音声読上装置１００の動作について説明する。
図３は、本実施の形態に係る音声読上装置１００におけるテキストデータＴＤの分割処理及びインデックスに対する音データＭＤの割り当て処理を示すフローチャートである。ここで、変数及び定数を以下のように決定する。
［変数］
ｋ：段落数
ｌ：文章全体の文字数
ｍ：１段落当たりの文字数
ｎ：段落番号（ｎ＝１〜ｋ）
ｐ（ｎ）：文章の先頭（第１段落の先頭）から第ｎ段落目の先頭までの文字数
ｑ（ｎ）：予め用意された音データのうち、ｎ番目の音データ
［定数］
Ｋ：予めユーザが設定した段落数
ＯＦＦＳＥＴ：ｐ（ｎ）と音声ｎを格納する記憶領域のアドレスのオフセット
【００２５】
制御部１０５は、ユーザが入力操作部１０１を使用して指定した段落数の設定を行う（ｋ＝Ｋ、ステップＳ１）。制御部１０５は、ユーザが指定した段落数を設定した後、テキストデータＴＤの読み込みを行い（ステップＳ２）、そのテキストデータＴＤ内の全ての文字数ｌをカウントする（ステップＳ３）。テキストデータＴＤ内の全ての文字数をカウントした後、ユーザが指定した段落数でテキストデータＴＤを分割する（ｍ＝ｌ／ｋ、ステップＳ４）。図４に段落数を「４」とした場合のテキストデータＴＤの分割状態の一例を示す。
【００２６】
次いで、制御部１０５は、記憶部１０６の所定のアドレス領域に第１段落の位置情報ｐ（ｎ＝１）を記憶する（ｐ（ｎ）＝ｍ×ｎ＋１、ステップＳ５）。この位置情報ｐ（ｎ＝１）がインデックスに相当する。制御部１０５は、記憶部１０６に第１段落の位置情報ｐ（ｎ＝１）を記憶した後、位置情報ｐ（ｎ＝１）を格納したアドレスにオフセットを加えたアドレス領域に音データｑ（ｎ＝１）を格納する（ステップＳ６）。制御部１０５は、ステップＳ５及びステップＳ６の処理を段落ごとに行うことから、記憶部１０６の第１段落の位置情報ｐ（ｎ＝１）及び音データｑ（ｎ＝１）を格納した後、ｎを１つインクリメントして（ｎ＝２、ステップＳ７）、設定した段落数までステップＳ５及びステップＳ６の処理を行う。すなわち、ｎの値がｋを超えるまで（ステップＳ８の処理でＹＥＳと判断するまで）ステップＳ５及びステップＳ６の処理を行う。例えば、段落数を「４」とした場合、ｎが「５」になるまでステップＳ５及びステップＳ６の処理を行う。
【００２７】
図５は、段落数を「４」とした場合の位置情報ｐ（ｎ）の記憶状態を示す図である。同図において、記憶部１０６の０ｘ０００１のアドレス領域に第１段落の位置情報：ｐ（１）、０ｘ０００２のアドレス領域に第２段落の位置情報：ｐ（２）、０ｘ０００３のアドレス領域に第３段落の位置情報：ｐ（３）、０ｘ０００４のアドレス領域に第４段落の位置情報：ｐ（４）がそれぞれ格納されている。
【００２８】
また、図６は、段落数を「４」とした場合の各段落に対応する音データｑ（ｎ）の記憶状態を示す図である。同図において、記憶部１０６の０ｘ０００１＋ＯＦＦＳＥＴのアドレス領域に第１段落の音データ：ｑ（１）、０ｘ０００２＋ＯＦＦＳＥＴのアドレス領域に第２段落の音データ：ｑ（２）、０ｘ０００３＋ＯＦＦＳＥＴのアドレス領域に第３段落の音データ：ｑ（３）、０ｘ０００４＋ＯＦＦＳＥＴのアドレス領域に第４段落の音データ：ｑ（４）がそれぞれ格納されている。
【００２９】
このようにして制御部１０５は、テキストデータＴＤの分割処理及びインデックスに対する音データＭＤの割り当て処理を行う。
【００３０】
次に、入力操作によるインデックス選択と音声再生処理について説明する。
図７は、当該処理を示すフローチャートである。同図において、制御部１０５は、まず段落番号ｎを入力する（ステップＳ２０）。段落番号ｎはユーザが入力操作部１０１を使用して指定する。制御部１０５は、ユーザによって指定された段落番号ｎを入力した後、音再生部１０４に当該段落番号ｎに対応する音データｑ（ｎ）を与えて再生させる（ステップＳ２１）。すなわち、該当する音データｑ（ｎ）を記憶部１０６から読み出して音再生部１０４に与える。音再生部１０４は、与えられた音データｑ（ｎ）の音を発声する。
【００３１】
制御部１０５は、ユーザによる段落番号ｎの決定があるまでステップＳ２０とステップＳ２１の処理を繰り返す度に音データｑ（ｎ）を音再生部１０４に与える。例えば、音データｑ（１）を“ド”、音データｑ（２）を“レ”、音データｑ（３）を“ミ”、音データｑ（４）を“ファ”とすると、ユーザが例えば段落番号２を指定した場合、その段落番号に対応する音データｑ（２）の“レ”の音データＭＤを音再生部１０４に与える。この場合、ユーザが早送り操作した場合、ユーザが所望の段落番号を決定するまで、“ド”→“レ”→“ミ”→“ファ”の各音データＭＤが繰り返し音再生部１０４に与えられる。
【００３２】
制御部１０５は、ユーザが段落番号を決定するまでの間、決定を受け付けたどうか判定し（ステップＳ２２）、ユーザが段落番号を決定すると、決定された段落の位置ｐ（ｎ）からテキストデータＴＤを文字読上部１０３に与えて、音声読上げを開始する（ステップＳ２３）。すなわち、決定された段落の位置ｐ（ｎ）からのテキストデータＴＤを入力し、それを文字読上部１０３に与えて音声読み上げを行わせる。音声読み上げを開始した後、ｎを１だけインクリメントする（ｎ＝ｎ＋１、ステップＳ２４）。そして、ｎがｋ（段落数）を超えるかどうか判定し（ステップＳ２５）、ｋを超えなければ、超えるまでの間、ステップＳ２３及びステップＳ２４の処理を繰り返す。
【００３３】
その後、ｎがｋを超えると本処理を終了する。例えば、第３段落のテキストデータＴＤからの音声読み上げが開始された場合、第４段落のテキストデータＴＤの音声読み上げが終了した後、本処理を終了する。
【００３４】
このように本実施の形態に係る音声読上装置１００によれば、テキストデータＴＤの全体の文字数をカウントした後、予め設定された文字数で段落を区切り、各段落の先頭位置をインデックスとして記憶するとともに、各インデックスに規則性を持った音データ（ドレミ音等の順序を想起させるような音データ）ＭＤを割り当てるようにし、ユーザによる入力操作によりテキストデータＴＤの各段落の任意のインデックスが指定されたときに、指定されたインデックスに対応した音データＭＤを再生するようにしたので、テキストデータＴＤの読み上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができる。
【００３５】
また、入力操作の検出のたびに次のインデックスに割り当てられた音を再生するので、飛び越し再生が可能となる。また、インデックスにドレミ音を割り当てることで、区切られたテキストデータＴＤの文章を容易に判別することができる。
【００３６】
なお、本実施の形態では、テキストデータＴＤに複数のインデックスを挿入したが、当然ながら、挿入するインデックスは１つの場合もある。
【００３７】
（実施の形態２）
前述した実施の形態１に係る音声読上装置１００は、テキストデータＴＤを予め設定された文字数で段落を区切るようにしたが、本発明の実施の形態２に係る音声読上装置は、改行コード（例えばキャリッジリターン（ＣＲ）のコード）で段落を区切るようにしたものである。音声読上装置の構成は実施の形態１に係る音声読上装置１００と同様であるので、図２を援用することとし、また符号２００を付けることとする。
【００３８】
図８は、本発明の実施の形態２に係る音声読上装置２００におけるテキストデータＴＤの分割処理及びインデックスに対する音データＭＤの割り当て処理を示すフローチャートである。ここで、変数及び定数を以下のように決定する。
［変数］
ｉ：文章の先頭（段落１の先頭）からの文字数
ｋ：文章全体の段落数
ｌ：文字全体の文字数
ｎ：段落番号（ｎ＝１〜ｋ）
ｍｏｊｉ：読み込んだ文字の文字コード
ｐ（ｎ）：文章の先頭（段落１の先頭）からｎ段落目の改行コードまでの文字数
ｑ（ｎ）：予め用意された音データのうち、ｎ番目の音データ
［定数］
ＯＦＦＳＥＴ：ｐ（ｎ）と音声ｎを格納する記憶領域のアドレスのオフセット
【００３９】
制御部１０５は、まず図示せぬ記憶部に記憶されているテキストデータＴＤを読み込み（ステップＳ３０）、テキストデータＴＤ内の全ての文字数ｌをカウントする（ステップＳ３１）。全ての文字数をカウントした後、ｉ＝０に設定する（ステップＳ３２）。次いで、制御部１０５は、読み込んだテキストデータＴＤの１文字を読み込む（ｉ＝ｉ＋１、ステップＳ３３）。そして、今読み込んだ文字が最終文字（ｉ＝ｌ？）であるかどうか判定し（ステップＳ３４）、最終文字であれば本処理を終了する。これに対して今読み込んだ文字が最終文字でなければ、今読み込んだ文字の文字コードｍｏｊｉを参照する（ステップＳ３５）。
【００４０】
そして、参照した文字コードｍｏｊｉが改行コードであるかどうか判定し（ステップＳ３６）、改行コードでなければステップＳ３３に戻り、次の１文字の読み込みを行う。これに対して改行コードであれば改行コードｐ（１）の位置情報ｐ（１）を記憶する（ステップＳ３７）。すなわち、前述した図５と同様に記憶部１０６の０ｘ０００１のアドレス領域に格納する。この位置情報ｐ（１）がインデックスに相当する。
【００４１】
次いで、制御部１０５は、位置情報ｐ（１）を記憶した後、位置情報ｐ（１）を格納したアドレスにオフセットを加えたアドレス領域に音データｑ（１）を格納する（ステップＳ３８）。すなわち、前述した図６と同様に記憶部１０６の０ｘ０００１＋ＯＦＦＳＥＴのアドレス領域に格納する。制御部１０５は、位置情報ｐ（１）及び音データｑ（１）を格納した後、ｎを１つインクリメントして（ｎ＝ｎ＋１、ステップＳ３９）、ステップＳ３３に戻り、次の１文字の読み込みを行う。そして、最終文字になるまでステップＳ３３〜ステップＳ３９の処理を繰り返し、最終文字に達したときにステップＳ３４の判定がＹＥＳとなって本処理を終了する。この結果、位置情報ｐ（１）、ｐ（２）、ｐ（３）、…が、記憶部１０６の０ｘ０００１、０ｘ０００２、０ｘ０００３、…の各アドレス領域に格納されるとともに、音データｑ（１）、ｑ（２）、ｑ（３）、…が、記憶部１０６の０ｘ０００１＋ＯＦＦＳＥＴ、０ｘ０００２＋ＯＦＦＳＥＴ、０ｘ０００３＋ＯＦＦＳＥＴ、…の各アドレス領域に格納される。
【００４２】
入力操作によるインデックス選択と音声再生処理は、前述した図７に示すフローチャートと同様になる。
【００４３】
このように本実施の形態に係る音声読上装置２００によれば、テキストデータＴＤ内の全ての文字数をカウントした後、改行コードで段落を区切り、各段落の先頭位置をインデックスとして記憶するとともに、各インデックスに規則性を持った音ファイル（ドレミ音等の順序を想起させるような音ファイル）ＭＤを割り当てるようにし、ユーザによる入力操作によりテキストデータＴＤの各段落の任意のインデックスが指定されたときに、該当するインデックスに対応した音データＭＤを再生するようにしたので、テキストデータＴＤの読みみ上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができる。
【００４４】
また、入力操作の検出のたびに次のインデックスに割り当てられた音を再生するので、飛び越し再生が可能となる。また、インデックスにドレミ音を割り当てることで、区切られたテキストデータＴＤの文章を容易に判別することができる。
なお、上記実施の形態１、２における文字数の代わりに単語数を用いて同様の処理を行うこともできる。
【産業上の利用可能性】
【００４５】
本発明は、テキストデータの読み上げ時に、知りたい情報に直ぐにアクセスすることができ、また同じ情報を繰り返し聞きたい場合には始めから聞き返す必要がなく、さらに今読み上げている箇所が全体のどのあたりであるか容易に把握することができるといった効果を有し、携帯電話やＰＤＡ(Personal Digital Assistant)等の携帯端末、パーソナルコンピュータ、電子辞書等のテキストデータを扱うことができる電子機器や、視覚障害者用の音声読上装置への適用が可能である。
【符号の説明】
【００４６】
１００、２００  音声読上装置
１０１  入力操作部
１０２  音声出力部
１０３  文字読上部
１０４  音再生部
１０５  制御部
１０６  記憶部
ＴＤ  テキストデータ
ＭＤ  音データ
【図１】
2011242727.tif 000003
【図２】
2011242727.tif 000004
【図３】
2011242727.tif 000005
【図４】
2011242727.tif 000006
【図５】
2011242727.tif 000007
【図６】
2011242727.tif 000008
【図７】
2011242727.tif 000009
【図８】
2011242727.tif 000010